(57)【要約】【課題】従来の技術の諸問題を解決するための薄型画像読み取り装置を提供する。【解決手段】画像読み取り装置は、ハウジングと、ハウジング内に設けられて光線を集束するレンズと、レンズの第一側に設けられてレンズからの光線をデジタル信号に変換するフォトセンサーと、レンズの第二側に設けられて画像読み取り装置に入射される光線を反射し、線形経路を形成して光線をレンズに通してフォトセンサーに誘導する複数の反射鏡とを含む。レンズの第一側に反射鏡が設けられない。【選択図】図３
2005198230.tif 000002
【特許請求の範囲】
【請求項１】
ハウジングと、
ハウジング内に設けられて光線を集束するレンズと、
レンズの第一側に設けられてレンズからの光線をデジタル信号に変換するフォトセンサーと、
レンズの第二側に設けられて画像読み取り装置に入射される光線を反射し、線形経路を形成して光線をレンズに通してフォトセンサーに誘導する複数の反射鏡とを含み、そのうちレンズの第一側に反射鏡が設けられないことを特徴とする画像読み取り装置。
【請求項２】
前記線形経路はレンズの付近にある両反射鏡の間を通ってレンズとフォトセンサーに届くことを特徴とする請求項１記載の画像読み取り装置。
【請求項３】
前記レンズの付近にある両反射鏡はレンズの上下縁を部分的にしか遮らず、光線がレンズの中心部を通ってフォトセンサーに集束されるようにされることを特徴とする請求項１記載の画像読み取り装置。
【請求項４】
光線を発生するための光源を更に具えることを特徴とする請求項１記載の画像読み取り装置。
【請求項５】
前記フォトセンサーがＣＣＤであることを特徴とする請求項１記載の画像読み取り装置。
【請求項６】
前記フォトセンサーがＣＭＯＳであることを特徴とする請求項１記載の画像読み取り装置。
【請求項７】
前記画像読み取り装置は３枚の反射鏡を含むスキャナーのスキャンモジュールであることを特徴とする請求項１記載の画像読み取り装置。
【請求項８】
前記画像読み取り装置は４枚の反射鏡を含むスキャナーのスキャンモジュールであることを特徴とする請求項１記載の画像読み取り装置。
【請求項９】
前記画像読み取り装置は５枚の反射鏡を含むスキャナーのスキャンモジュールであることを特徴とする請求項１記載の画像読み取り装置。
【請求項１０】
ハウジングと、
ハウジング内に設けられて光線を集束するレンズと、
レンズの第一側に設けられてレンズからの光線をデジタル信号に変換するフォトセンサーと、
レンズの第二側に設けられてスキャンモジュールに入射される光線を反射し、線形経路を形成して光線をレンズに通してフォトセンサーに誘導する複数の反射鏡とを含み、そのうちレンズの第一側に反射鏡が設けられないことを特徴とするスキャナーのスキャンモジュール。
【請求項１１】
前記線形経路はレンズの付近にある両反射鏡の間を通ってレンズとフォトセンサーに届くことを特徴とする請求項１０記載のスキャンモジュール。
【請求項１２】
前記レンズの付近にある両反射鏡はレンズの上下縁を部分的にしか遮らず、光線がレンズの中心部を通ってフォトセンサーに集束されるようにされることを特徴とする請求項１０記載のスキャンモジュール。
【請求項１３】
光線を発生するための光源を更に具えることを特徴とする請求項１０記載のスキャンモジュール。
【請求項１４】
前記フォトセンサーがＣＣＤであることを特徴とする請求項１０記載のスキャンモジュール。
【請求項１５】
前記フォトセンサーがＣＭＯＳであることを特徴とする請求項１０記載のスキャンモジュール。
【請求項１６】
前記画像読み取り装置が３枚の反射鏡を含むことを特徴とする請求項１０記載のスキャンモジュール。
【請求項１７】
前記画像読み取り装置が４枚の反射鏡を含むことを特徴とする請求項１０記載のスキャンモジュール。
【請求項１８】
前記画像読み取り装置が５枚の反射鏡を含むことを特徴とする請求項１０記載のスキャンモジュール。
【発明の詳細な説明】
【技術分野】
【０００１】
この発明は画像読み取り装置に関し、特に薄型読み取り装置に関する。
【背景技術】
【０００２】
電気製品の寸法を小さくするのは時代の趨勢であり、スキャナーも例外ではない。しかし、スキャナーの薄型化に応じて、その部品も改めて設計しなければならない。特にスキャナーのスキャンモジュールでは、反射鏡の配置はその薄型化のキーポイントである。スキャンモジュールの薄型化に関わる要素はおおよそ、反射鏡の厚さと反射鏡の配置方法など二つが数えられる。しかし、反射鏡を薄くすれば反射鏡自体が壊れやすくなって衝撃に耐えられなくなるので、スキャンモジュールの薄型化には反射鏡の配置を変えることが望まれる。
【０００３】
図１を参照する。図１は４枚の反射鏡を使用する従来のスキャンモジュール１０を表す説明図である。スキャンモジュール１０はハウジング１２と、光線を集束するレンズ１４と、レンズ１４からの光線をデジタル信号に変換するフォトセンサー１６と、第一反射鏡１８、第二反射鏡２０、第三反射鏡２２、第四反射鏡２４など４枚の反射鏡とを含む。第一反射鏡１８と、第二反射鏡２０と、第四反射鏡２４とはレンズの第一側に設けられ、第三反射鏡２２はレンズ１４の第二側の上方に設けられる。
【０００４】
図１によれば、書類から反射された光線はスリット２６を通って第一反射鏡１８に届き、それから第二反射鏡２０、第三反射鏡２２、第四反射鏡２４、レンズ１４に続々と反射され、レンズ１４に集束されてフォトセンサー１６にデジタル信号と変換される。図１によれば、第一反射鏡１８と、第二反射鏡２０と、第四反射鏡２４とはレンズの第一側に設けられ、第三反射鏡２２はレンズ１４の第二側に設けられる。第三反射鏡２２は第一反射鏡１８、第二反射鏡２０、第四反射鏡２４の反対側に設けられるので、第二反射鏡２０から第三反射鏡２２及び第三反射鏡から２２第四反射鏡２４に反射される光線が遮られないように、第三反射鏡２２はレンズ１４の上方に設けなければならない。よってスキャンモジュール１０は、レンズ１４及びその上方にある第三反射鏡２２を収容するため一定の高さが必要である。そのため、従来の反射鏡配置はスキャンモジュールの薄型化に深刻な支障をもたらしている。
【発明の開示】
【発明が解決しようとする課題】
【０００５】
この発明は前述の問題を解決するため、薄型画像読み取り装置を提供することを課題とする。
【課題を解決するための手段】
【０００６】
この発明による画像読み取り装置は、ハウジングと、ハウジング内に設けられて光線を集束するレンズと、レンズの第一側に設けられてレンズからの光線をデジタル信号に変換するフォトセンサーと、レンズの第二側に設けられて画像読み取り装置に入射される光線を反射し、線形経路を形成して光線をレンズに通してフォトセンサーに誘導する複数の反射鏡とを含む。レンズの第一側に反射鏡が設けられない。
【０００７】
この発明は更にスキャナーのスキャンモジュールを提供する。スキャンモジュールは、ハウジングと、ハウジング内に設けられて光線を集束するレンズと、レンズの第一側に設けられてレンズからの光線をデジタル信号に変換するフォトセンサーと、レンズの第二側に設けられてスキャンモジュールに入射される光線を反射し、線形経路を形成して光線をレンズに通してフォトセンサーに誘導する複数の反射鏡とを含む。レンズの第一側に反射鏡が設けられない。
【発明の効果】
【０００８】
この発明によるスキャンモジュールの複数の反射鏡はいずれもレンズの第二側に設けられ、レンズの第一側に反射鏡が設けられないため、光線はレンズの上方または下方を通らない。よってレンズの上方と下方には反射鏡が設けられず、スキャンモジュールの薄型化も可能になる。
【発明を実施するための最良の形態】
【０００９】
かかる装置の特徴を詳述するために、具体的な実施例を挙げ、図示を参照にして以下に説明する。
【実施例１】
【００１０】
図２を参照する。図２は４枚の反射鏡を使用するこの発明の実施例１によるのスキャンモジュール３０を表す説明図である。スキャンモジュール３０はハウジング３２と、ハウジング３２内に設けられて光線を集束するレンズ３４と、レンズ３４の第一側に設けられてレンズ３４からの光線をデジタル信号に変換するフォトセンサー３６と、レンズ３４の第二側に設けられて書類から反射された光線をレンズ３４に反射する第一反射鏡３８、第二反射鏡４０、第三反射鏡４２、第四反射鏡４４など４枚の反射鏡とを含む。図２によれば、書類から反射された光線はスリット４６を通って第一反射鏡３８に届き、それから第二反射鏡４０、第三反射鏡４２、第四反射鏡４４、また第一反射鏡３８と第三反射鏡４２との間を通ってレンズ３４に続々と反射されてから、レンズ３４に集束されてフォトセンサー３６にデジタル信号と変換される。フォトセンサー３６はＣＣＤ（電荷結合素子）またはＣＭＯＳ（相補型金属酸化物半導体）である。
【００１１】
図２によれば、第一反射鏡３８と、第二反射鏡４０と、第三反射鏡４２と、第四反射鏡２４とはいずれもレンズ３４の第二側に設けられる。第一反射鏡３８と第三反射鏡４２はレンズ３４の上下縁しか遮らず、光線がレンズ３４の中心部を通ってフォトセンサー３６に集束されるように設計される。なお、この発明による反射鏡はいずれもレンズ３４の第二側に設けられるため、光線はレンズ３４の上方または下方を通らない。よってレンズ３４の上方と下方には反射鏡が設けられず、スキャンモジュール３０の薄型化も可能になる。
【実施例２】
【００１２】
図３を参照する。図３は３枚の反射鏡を使用するこの発明の実施例２によるのスキャンモジュール５０を表す説明図である。スキャンモジュール５０はハウジング５２と、ハウジング５２内に設けられて光線を集束するレンズ５４と、レンズ５４の第一側に設けられてレンズ５４からの光線をデジタル信号に変換するフォトセンサー５６と、レンズ５４の第二側に設けられて書類から反射された光線をレンズ５４に反射する第一反射鏡５８、第二反射鏡６０、第三反射鏡６２など３枚の反射鏡とを含む。図３によれば、書類から反射された光線はスリット６４を通って第一反射鏡５８に届き、それから第二反射鏡６０、第三反射鏡６２、第二反射鏡６０、また第一反射鏡５８と第三反射鏡６２との間を通ってレンズ５４に続々と反射されてから、レンズ５４に集束されてフォトセンサー５６にデジタル信号と変換される。図３によれば、第一反射鏡５８と、第二反射鏡６０と、第三反射鏡６２とはいずれもレンズ５４の第二側に設けられる。第一反射鏡５８と第三反射鏡６２はレンズ５４の上下縁しか遮らず、光線がレンズ５４の中心部を通ってフォトセンサー５６に集束されるように設計される。なお、この発明による反射鏡はいずれもレンズ５４の第二側に設けられるため、光線はレンズ５４の上方または下方を通らない。よってレンズ５４の上方と下方には反射鏡が設けられず、スキャンモジュール５０の薄型化も可能になる。
【実施例３】
【００１３】
図４を参照する。図４は５枚の反射鏡を使用するこの発明の実施例３によるのスキャンモジュール７０を表す説明図である。スキャンモジュール７０はハウジング７２と、ハウジング７２内に設けられて光線を集束するレンズ７４と、レンズ７４の第一側に設けられてレンズ７４からの光線をデジタル信号に変換するフォトセンサー７６と、レンズ７４の第二側に設けられて書類から反射された光線をレンズ７４に反射する第一反射鏡７８、第二反射鏡８０、第三反射鏡８２、第四反射鏡８４、第五反射鏡８６など５枚の反射鏡とを含む。図４によれば、書類から反射された光線はスリット８８を通って第一反射鏡７８に届き、それから第二反射鏡８０、第三反射鏡８２、第四反射鏡８４、第二反射鏡８０、第五反射鏡８６、また第二反射鏡８０と第三反射鏡８２との間を通ってレンズ７４に続々と反射されてから、レンズ７４に集束されてフォトセンサー７６にデジタル信号と変換される。
【００１４】
図４によれば、第一反射鏡７８と、第二反射鏡８０と、第三反射鏡８２と、第四反射鏡８４と、第五反射鏡８６とはいずれもレンズ７４の第二側に設けられる。第二反射鏡８０と第三反射鏡４２はレンズ７４の上下縁しか遮らず、光線がレンズ７４の中心部を通ってフォトセンサー７６に集束されるように設計される。なお、この発明による反射鏡はいずれもレンズ７４の第二側に設けられるため、光線はレンズ７４の上方または下方を通らない。よってレンズ７４の上方と下方には反射鏡が設けられず、スキャンモジュール７０の薄型化も可能になる。
【００１５】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１６】
この発明によるスキャンモジュールの複数の反射鏡はいずれもレンズの第二側に設けられ、レンズの第一側に反射鏡が設けられないため、光線はレンズの上方または下方を通らない。よってレンズの上方と下方には反射鏡が設けられず、スキャンモジュールの薄型化も可能になる。
【図面の簡単な説明】
【００１７】
【図１】４枚の反射鏡を使用する従来のスキャンモジュールを表す説明図である。
【図２】４枚の反射鏡を使用するこの発明の実施例１によるスキャンモジュールを表す説明図である。
【図３】３枚の反射鏡を使用するこの発明の実施例２によるスキャンモジュールを表す説明図である。
【図４】５枚の反射鏡を使用するこの発明の実施例３によるスキャンモジュールを表す説明図である。
【符号の説明】
【００１８】
１０、３０、５０、７０        スキャンモジュール
１２、３２、５２、７２        ハウジング
１４、３４、５４、７４        レンズ
１６、３６、５６、７６        フォトセンサー
１８、３８、５８、７８        第一反射鏡
２０、４０、６０、８０        第二反射鏡
２２、４２、６２、８２        第三反射鏡
２４、４４、８４              第四反射鏡
２６、４６、６４、８８        スリット
８６                          第五反射鏡
【図１】
2005198230.tif 000003
【図２】
2005198230.tif 000004
【図３】
2005198230.tif 000005
【図４】
2005198230.tif 000006